(57)【要約】【課題】少なくとも一つのチャンネルを使用して送信信号を常時出力する常送基地局装置と、送信要求がなされたときに常送基地局装置が使用するチャンネルとは異なる少なくとも一つのチャンネルを使用して送信信号を出力する非常送基地局装置が混在する無線システムで使用される移動無線端末装置で、非常送基地局装置が選択される確率を確保する。【解決手段】チャンネル選択手段が、非常送基地局装置で使用されるチャンネルでの受信待ち受け時間を常送基地局装置で使用されるチャンネルでの受信待ち受け時間より長く設定して、各基地局装置で使用されるチャンネルを順次スキャンして、受信状態が最良となるチャンネルを受信チャンネルとして選択する。【選択図】  図２
2010219881.tif 000002
【特許請求の範囲】
【請求項１】
少なくとも一つのチャンネルを使用して送信信号を常時出力する常送基地局装置と、送信要求がなされたときに前記常送基地局装置が使用するチャンネルとは異なる少なくとも一つのチャンネルを使用して送信信号を出力する非常送基地局装置が混在する無線システムで使用される移動無線端末装置であって、
前記非常送基地局装置で使用されるチャンネルでの受信待ち受け時間を前記常送基地局装置で使用されるチャンネルでの受信待ち受け時間より長く設定して、各基地局装置で使用されるチャンネルを順次スキャンして、受信状態が最良となるチャンネルを受信チャンネルとして選択するチャンネル選択手段を備えた、
ことを特徴とする移動無線端末装置。
【請求項２】
少なくとも一つのチャンネルを使用して送信信号を常時出力する常送基地局装置と、送信要求がなされたときに前記常送基地局装置が使用するチャンネルとは異なる少なくとも一つのチャンネルを使用して送信信号を出力する非常送基地局装置が混在する無線システムで使用される移動無線端末装置におけるチャンネル選択方法であって、
前記常送基地局装置で使用されるチャンネルでの受信待ち受けを第１の所定時間の間行い、
前記非常送基地局装置で使用されるチャンネルでの受信待ち受けを前記第１の所定時間よりも長い第２の所定時間の間行い、
受信状態が最良となるチャンネルを受信チャンネルとして選択する、
ことを特徴とする移動無線端末装置におけるチャンネル選択方法。
【発明の詳細な説明】
【技術分野】
【０００１】
本発明は、移動無線端末装置やチャンネル選択方法に関し、特に、常送基地局装置と非常送基地局装置が混在したシステムで自動チャンネル選択機能が動作する場合においても、非常送基地局装置が選択される確率を確保して、全体として効率的な自動チャンネル選択を実現する移動無線端末装置やチャンネル選択方法に関する。
【背景技術】
【０００２】
例えば、移動無線システムでは、基地局装置がカバーするエリアの広さに従って、大ゾーン方式や小ゾーン方式などに分かれる。いずれの場合においても、現在使用している場所で最適な基地局装置を選択して基地局装置経由の通信を行う必要があり、この選択を行う際に自動チャンネル選択機能が使用される。
自動チャンネル選択機能では、無線機（例えば、移動無線端末装置など）に登録されているチャンネルすなわち受信周波数を順次スキャンし、登録されているチャンネルの中で最も受信状態が良いものであると判断したチャンネルを受信チャンネルとすることが行われ、自動チャンネル選択機能が動作した後は最も受信状態が良いものであると判断された基地局装置との通信が行われる。
【０００３】
基地局装置の分類として、常時に送信周波数信号を出力している常送基地局装置と、また、基地局装置に接続された指令卓からの送信要求や或いはある移動無線端末装置から他の移動無線端末装置への通話要求（送信要求）などにより送信周波数信号を出力し、通常は送信周波数信号を出力していない非常送基地局装置がある。
従来における常送基地局装置と移動無線端末装置だけのシステム又は非常送基地局装置と移動無線端末装置だけのシステムでは、自動チャンネル選択機能が動作した場合に受信周波数をスキャンする際には、各システムが持つチャンネル毎の違いが無いことから、全て同一条件でのスキャンが行われればよかった。
【０００４】
図３には、従来の技術で、移動無線端末装置の自動チャンネル選択機能を動作させた場合における、各チャンネルでの受信待ち受け時間の一例を示してある。本例では、チャンネルの数として４チャンネル（Ｈ１〜Ｈ４）の場合を示してある。
自動チャンネル選択機能が動作すると、開始したチャンネル（本例では、Ｈ１）でしばらく待ち受け状態となった後、移動無線端末装置に設定されたチャンネルのスキャンを行う。スキャンは、移動無線端末装置の受信周波数をスキャンするように設定されたチャンネルの周波数に変更し、該当するチャンネルの基地局装置からの受信信号の電界入力レベルを測定し、また、その受信信号が、システムが許した信号であるか否かの判断を行う。
【０００５】
移動無線端末装置に設定された総てのチャンネルのスキャンを行った後、一つのチャンネルでもシステムが許した信号であった場合には、その中で、最も受信電界入力レベルが高いチャンネルを選択する。一方、スキャンを行った後、いずれのチャンネルについてもシステムが許可した信号ではなかった場合には、再び総てのチャンネルのスキャンを実施する。
【０００６】
常送基地局装置だけのシステムでは、使用するチャンネル総てが送信した状態であるため、移動無線端末装置で自動チャンネル選択機能が動作した場合には、移動無線端末装置が存在する位置によりチャンネルのいずれか最も受信電界入力レベルが高いチャンネルを選択する。
これに対し、非常送基地局装置だけのシステムでは、移動無線端末装置で自動チャンネル選択機能が動作した場合には、いずれの基地局装置も送信していない可能性がある。そのため、いずれのチャンネルも受信することができず、結果として、長時間いずれかの基地局装置が送信するのを待つ状態となる。
なお、特許文献１には、常送基地局装置と非常送基地局装置が混在するシステムの一例が記載されている（特許文献１参照。）。
【先行技術文献】
【特許文献】
【０００７】
【特許文献１】特開２００６−２７０４９１号公報
【発明の概要】
【発明が解決しようとする課題】
【０００８】
従来の技術では、常送基地局装置と非常送基地局装置が混在したシステムで自動チャンネル選択機能が動作する場合には、自動チャンネル選択機能が動作して、受信周波数を変化しながら各チャンネルの信号の有無とシステムで許可した信号であるかどうかの判断を行っているため、送信出力を出力していない非常送基地局装置が選択されないことが予想される。
【０００９】
本発明は、このような従来の事情に鑑み為されたもので、常送基地局装置と非常送基地局装置が混在したシステムで自動チャンネル選択機能が動作する場合においても、非常送基地局装置が選択される確率を確保して、全体として効率的な自動チャンネル選択を実現することができる移動無線端末装置やチャンネル選択方法を提供することを目的とする。
【課題を解決するための手段】
【００１０】
上記目的を達成するため、本発明では、少なくとも一つのチャンネルを使用して送信信号を常時出力する常送基地局装置と、送信要求がなされたときに前記常送基地局装置が使用するチャンネルとは異なる少なくとも一つのチャンネルを使用して送信信号を出力する非常送基地局装置が混在する無線システムで使用される移動無線端末装置において、次のような構成とした。
すなわち、チャンネル選択手段が、前記非常送基地局装置で使用されるチャンネルでの受信待ち受け時間を前記常送基地局装置で使用されるチャンネルでの受信待ち受け時間より長く設定して、各基地局装置（常送基地局装置及び非常送基地局装置）で使用されるチャンネルを順次スキャンして、受信状態が最良となるチャンネルを受信チャンネル（通信に使用するチャンネル）として選択する。
【００１１】
従って、常送基地局装置と非常送基地局装置が混在したシステムで自動チャンネル選択機能が動作する場合においても、非常送基地局装置が選択される確率を確保して、全体として効率的な自動チャンネル選択を実現することができる。
【００１２】
ここで、無線システムとしては、種々な構成のものが用いられてもよい。
また、常送基地局装置の数や、非常送基地局装置の数としては、それぞれ、種々な数が用いられてもよい。
また、各基地局装置（常送基地局装置や非常送基地局装置）で使用されるチャンネルの数としては、一つ以上の任意の数が用いられてもよい。
また、非常送基地局装置が送信信号を出力する契機となる送信要求としては、種々なものが用いられてもよく、例えば、指令卓からの送信要求や、移動無線端末装置からの送信要求などを用いることができる。
【００１３】
また、常送基地局装置で使用されるチャンネルでの受信待ち受け時間（第１の所定時間）や、非常送基地局装置で使用されるチャンネルでの受信待ち受け時間（第２の所定時間）としては、それぞれ、種々な値が用いられてもよい。
また、常送基地局装置で使用される複数のチャンネルをスキャンする場合には、例えば、これら総てのチャンネルについて同一の受信待ち受け時間が用いられるが、異なる受信待ち受け時間が用いられる構成とされてもよい。同様に、非常送基地局装置で使用される複数のチャンネルをスキャンする場合には、例えば、これら総てのチャンネルについて同一の受信待ち受け時間が用いられるが、異なる受信待ち受け時間が用いられる構成とされてもよい。
【００１４】
また、スキャンしたチャンネルの中で受信状態が最良となるチャンネルを受信チャンネルとして選択する場合に、例えば、該当するチャンネルがシステムで許容（許可）されていることを条件とするなど、他の条件が併用されてもよい。
また、受信状態としては、種々なものが用いられてもよく、例えば、受信レベルが大きい方が受信状態が良好であるという判定方法を用いることができる。
【００１５】
本発明では、少なくとも一つのチャンネルを使用して送信信号を常時出力する常送基地局装置と、送信要求がなされたときに前記常送基地局装置が使用するチャンネルとは異なる少なくとも一つのチャンネルを使用して送信信号を出力する非常送基地局装置が混在する無線システムで使用される移動無線端末装置におけるチャンネル選択方法において、次のような処理を行う。
すなわち、前記常送基地局装置で使用されるチャンネルでの受信待ち受けを第１の所定時間の間行い、前記非常送基地局装置で使用されるチャンネルでの受信待ち受けを前記第１の所定時間よりも長い第２の所定時間の間行い、受信状態が最良となるチャンネルを受信チャンネルとして選択する。
従って、常送基地局装置と非常送基地局装置が混在したシステムで自動チャンネル選択機能が動作する場合においても、非常送基地局装置が選択される確率を確保して、全体として効率的な自動チャンネル選択を実現することができる。
【発明の効果】
【００１６】
以上説明したように、本発明によると、常送基地局装置と非常送基地局装置が混在したシステムで、移動無線端末装置の自動チャンネル選択機能が動作する場合においても、非常送基地局装置が選択される確率を確保して、全体として効率的な自動チャンネル選択を実現することができる。
【図面の簡単な説明】
【００１７】
【図１】本発明の一実施例に係る移動無線端末装置内のチャンネル情報の一例を示す図である。
【図２】本発明の一実施例に係る移動無線端末装置による自動チャンネル選択動作時における受信待ち受け時間の一例を示す図である。
【図３】背景技術に係る移動無線端末装置による自動チャンネル選択動作時における受信待ち受け時間の一例を示す図である。
【図４】無線システムの構成例を示す図である。
【発明を実施するための形態】
【００１８】
本発明に係る実施例を図面を参照して説明する。
まず、常送基地局装置と非常送基地局装置が混在する無線システムの一例を示す。
図４には、無線システムの一例を示してある。
本例の無線システムは、指令卓１、切替装置２、常送基地局装置１１、非常送基地局装置１２、１３、複数の移動無線端末装置３１〜３３を備えている。また、各基地局装置１１〜１３の通信エリア２１〜２３を示してある。
【００１９】
指令卓１は、例えば操作者（人）により操作されて或いは自動的に各種の指令などを行う。切替装置２は、指令卓１と接続する基地局装置１１〜１３を切り替える機能を有している。
各移動無線端末装置３１〜３３は、例えば、自装置が属する通信エリア２１〜２３を形成する基地局装置１１〜１３と無線通信することで他の移動無線端末装置や指令卓１などと通信することができ、或いは、直接的に他の移動無線端末装置と無線通信することができる。
なお、常送基地局装置の数や、非常送基地局装置の数や、移動無線端末装置の数としては、それぞれ、種々な数が用いられてもよい。
【００２０】
次に、本例の移動無線端末装置３１〜３３が有する自動チャンネル選択機能について説明する。
図１には、本例の移動無線端末装置３１〜３３内に持っているチャンネル情報の一例を示してある。このチャンネル情報は、各移動無線端末装置３１〜３３が有するメモリに記憶されている。
本例では、チャンネルの情報として、チャンネル番号（Ｈ１〜Ｈ４、Ｊ１〜Ｊ４）の情報と、また、必須な情報として、送信周波数［ＭＨｚ］及び受信周波数［ＭＨｚ］の情報があり、更に、これらに加えて、そのチャンネルが常送基地局システムとして使用されるものであるか或いは非常送基地局システムとして使用されるものであるかを区別する情報（常送／非常送）が対応付けられている。
【００２１】
ここで、本例の無線システムでは、非常送基地局システムが４チャンネルと、常送基地局システムが４チャンネルとが、混在したシステムであるとする。
図２には、このような無線システムにおいて、移動無線端末装置（本例では、移動無線端末装置３１〜３３のいずれか）の自動チャンネル選択機能が動作した場合における各チャンネル（Ｈ１〜Ｈ４、Ｊ１〜Ｊ４）の受信待ち受け時間の一例を示してある。
自動チャンネル選択機能が動作すると、開始したチャンネル（本例では、Ｈ１）でしばらく待ち受け状態となった後に、移動無線端末装置に設定されているスキャンチャンネルについて、スキャンを行う。
【００２２】
本例の条件では、まず、非常送基地局システム（非常送基地局装置）のチャンネルＨ１からＨ４をスキャンし、その後、常送基地局システム（常送基地局装置）のチャンネルＪ１からＪ４のスキャンを行う。このとき、基地局装置からの信号を待ち受けている時間として、Ｈ１からＨ４のチャンネルでの待ち受け時間は、Ｊ１からＪ４のチャンネルの待ち受け時間と比べて、２倍の時間となっている。
【００２３】
受信待ち受け中の動作としては、例えば、従来の技術と同様に、受信周波数信号の有無とシステムで許可した信号であるか否かの判断を行う。
また、いずれの受信周波数についても許可したシステムではなかった場合には、以降も同じ順番で、いずれかのチャンネルの基地局装置からの信号を受信するまでスキャンを継続する。
【００２４】
以上のように、本例では、常時送信信号を出力する常送基地局装置と、送信要求があった場合に送信信号を出力する非常送基地局装置とが混在する移動無線システムで使用されて、基地局装置からの信号の強度により最適な基地局装置を自動的に選択する自動チャンネル選択機能を有する移動無線端末装置において、自動チャンネル選択機能の動作時に基地局装置からの信号の有無を判定するために該当する基地局装置の周波数で受信する時間について、常送基地局装置と非常送基地局装置とで違いを持たせた。
【００２５】
本例の移動無線端末装置では、チャンネル情報に送受信周波数情報のほかに非常送基地局システムであるか或いは常送基地局システムであるかの区別情報を追加することにより、移動無線端末装置で使用する非常送基地局システム用チャンネルと常送基地局システム用チャンネルの区別を設け、自動スキャンを行う際に、非常送基地局システムで使用するチャンネルでは、常送基地局システムで使用するチャンネルよりも、自動チャンネル選択機能を動作したときにおける受信待ち受け時間を長くする。
【００２６】
移動無線端末装置の一構成例を示す。
少なくとも一つのチャンネルを使用して送信信号を常時出力する常送基地局装置と、送信要求がなされたときに前記常送基地局装置が使用するチャンネルとは異なる少なくとも一つのチャンネルを使用して送信信号を出力する非常送基地局装置とが混在する無線システムで使用される移動無線端末装置であって、各基地局装置で使用されるチャンネルを順次スキャンし、受信状態が最良のチャンネルを受信チャンネルとして選択する自動チャンネル選択機能を備え、そして、前記自動チャンネル選択機能は、前記非常送基地局装置で使用されるチャンネルのスキャン時間を、前記常送基地局装置で使用されるチャンネルのスキャン時間よりも長く設定する。
【００２７】
自動チャンネル選択方法の一構成例を示す。
少なくとも一つのチャンネルを使用して送信信号を常時出力する常送基地局装置と、送信要求がなされたときに前記常送基地局装置が使用するチャンネルとは異なる少なくとも一つのチャンネルを使用して送信信号を出力する非常送基地局装置とが混在する無線システムで使用される移動無線端末装置の自動チャンネル選択方法であって、前記常送基地局装置で使用されるチャンネルを第１の所定時間の間スキャンし、前記非常送基地局装置で使用されるチャンネルを前記第１の所定時間よりも長い第２の所定時間の間スキャンし、受信状態が最良のチャンネルを受信チャンネルとして選択する。
【００２８】
従って、本例の移動無線端末装置では、非常送基地局システムと常送基地局システムが混在する無線システムにおいて、非常送基地局システム用チャンネルと常送基地局システム用チャンネルを管理して、非常送基地局システムのチャンネルでの待ち受け時間を長くすることが可能であり、これにより、自動チャンネル選択機能を動作させた場合に、非常送基地局システムのチャンネルを選択する確率が低かったことを改善して、非常送基地局システム用チャンネルの選択率を上昇させることができ、これにより、全体として効率的な自動チャンネル選択を実現することができる。
【００２９】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００３０】
１・・指令卓、  ２・・切替装置、  １１・・基地局装置（常送）、  １２、１３・・基地局装置（非常送）、  ２１〜２３・・通信エリア、  ３１〜３３・・移動無線端末装置、
【図１】
2010219881.tif 000003
【図２】
2010219881.tif 000004
【図３】
2010219881.tif 000005
【図４】
2010219881.tif 000006